(57)【要約】【課題】  ジャムが発生しても出金処理を実行可能な紙幣取扱装置を提供する。【解決手段】  本来の紙幣ＰＭの収納庫であるリサイクル庫８０ａ〜８０ｃとは別個に、紙幣ＰＭを保管する緊急時専用出金庫７０を備え、経路５０１ａ〜５０１ｈにおいてジャムが発生した場合、緊急時専用出金庫７０専用の緊急時紙幣搬送路７３を介して緊急時用出金口７１から出金する。【選択図】        図２
2006065539.tif 000002
【特許請求の範囲】
【請求項１】
紙幣取扱装置であって、
紙幣を収納する通常時用金庫と、
緊急時用に紙幣を収納する緊急時用金庫と、
前記通常時用金庫から出金可能であるか否かを検出する検出部と、
前記通常時用金庫から出金可能であると検出された場合、出金指示に応じて、前記通常時用金庫から出金する通常時出金部と、
前記通常時用金庫から出金不可能であると検出された場合、出金指示に応じて、前記緊急時用金庫から出金する緊急時出金部と
を備えた紙幣取扱装置。
【請求項２】
請求項１記載の紙幣取扱装置であって、更に、
前記通常時用金庫と前記緊急時用金庫とを接続する接続搬送路と、
前記接続搬送路を介して、前記通常時用金庫と前記緊急時用金庫との間の紙幣の移動を実行する紙幣搬送部と
を備えた紙幣取扱装置。
【請求項３】
請求項２記載の紙幣取扱装置であって、
前記接続搬送路の一部が、前記通常時用金庫と該通常時用金庫の出金口とを接続する搬送路の一部としても使用される紙幣取扱装置。
【請求項４】
請求項１記載の紙幣取扱装置であって、
前記通常時用金庫用の出金口と、前記緊急時用金庫用の出金口とを別個に備えた紙幣取扱装置。
【請求項５】
紙幣取扱装置を制御する方法であって、
前記紙幣取扱装置は、
紙幣を収納する通常時用金庫と、
緊急時用に紙幣を収納する緊急時用金庫と
を備え、
前記方法は、
前記通常時用金庫から出金可能であるか否かを検出する検出工程と、
前記通常時用金庫から出金可能であると検出された場合、出金指示に応じて、前記通常時用金庫から出金する通常時出金工程と、
前記通常時用金庫から出金不可能であると検出された場合、出金指示に応じて、前記緊急時用金庫から出金する緊急時出金工程と
を備えた方法。
【請求項６】
紙幣取扱装置の機能を実現させるためのコンピュータプログラムであって、
前記紙幣取扱装置は、
紙幣を収納する通常時用金庫と、
緊急時用に紙幣を収納する緊急時用金庫と
を備え、
前記コンピュータプログラムは、
前記通常時用金庫から出金可能であるか否かを検出する検出機能と、
前記通常時用金庫から出金可能であると検出された場合、出金指示に応じて、前記通常時用金庫から出金する通常時出金機能と、
前記通常時用金庫から出金不可能であると検出された場合、出金指示に応じて、前記緊急時用金庫から出金する緊急時出金機能と
を実現させるためのコンピュータプログラム。
【発明の詳細な説明】
【技術分野】
【０００１】
本発明は、紙幣を自動で取り扱い可能な紙幣取扱装置に関する。
【背景技術】
【０００２】
紙幣取扱装置は、例えば現金自動取引装置（ＡＴＭ）に搭載されている。紙幣取扱装置は、紙幣を収納する金庫と、金庫から出金口まで紙幣を搬送可能な搬送路を備えており、利用者の要求に応えて、自動的に紙幣を出金口に放出することが可能である。
【０００３】
【特許文献１】特開平５−８１５０７号公報
【特許文献２】特開平６−９６３２７号公報
【発明の開示】
【発明が解決しようとする課題】
【０００４】
しかしながら、従来の紙幣取扱装置では、例えば搬送路において紙幣が詰まるといった緊急の事態が起こった場合、紙幣を出金口に搬出することができず、出金が不可能になるという問題があった。
【０００５】
本発明は、上記した問題点を解決するためになされたものであり、緊急の事態が発生した場合であっても出金を可能とする紙幣取扱装置を提供することを目的とする。
【課題を解決するための手段】
【０００６】
上記課題の少なくとも一部を解決するため、本発明による紙幣取扱装置は、紙幣を収納する通常時用金庫と、緊急時用に紙幣を収納する緊急時用金庫と、前記通常時用金庫から出金可能であるか否かを検出する検出部と、前記通常時用金庫から出金可能であると検出された場合、出金指示に応じて、前記通常時用金庫から出金する通常時出金部と、前記通常時用金庫から出金不可能であると検出された場合、出金指示に応じて、前記緊急時用金庫から出金する緊急時出金部とを備えることを特徴とする。
【０００７】
本発明によれば、緊急時用金庫を別個に備えることにより、通常時用金庫から出金不可能である場合も出金することができる。
【０００８】
前記通常時用金庫と前記緊急時用金庫とを接続する接続搬送路と、前記接続搬送路を介して、前記通常時用金庫と前記緊急時用金庫との間の紙幣の移動を実行する紙幣搬送部とを備えるものとしても良い。
【０００９】
これによれば、緊急時用金庫への紙幣の補充や回収を容易に行なうことができる。
【００１０】
前記接続搬送路の一部が、前記通常時用金庫と該通常時用金庫の出金口とを接続する搬送路の一部としても使用されるものとしても良い。
【００１１】
これによれば、搬送路の全長を短くすることができる。
【００１２】
前記通常時用金庫用の出金口と、前記緊急時用金庫用の出金口とを別個に備えるものとしても良い。
【００１３】
これによれば、緊急時に通常時用金庫の出金口から出金する場合に比べ、緊急時の出金をより確実に行なうことができる。
【００１４】
なお本発明は種々の形態で実現可能であり、例えば、紙幣取扱装置を制御する方法、紙幣取扱装置の機能を実現させるためのコンピュータプログラム、そのプログラムを記録した記録媒体等の形態で実現可能である。
【００１５】
本発明をコンピュータプログラムまたはそのプログラムを記録した記録媒体等として構成する場合には、ネットワーク機器の動作を制御するプログラム全体として構成するものとしてもよいし、本発明の機能を果たす部分のみを構成するものとしてもよい。また、記録媒体としては、フレキシブルディスクやＣＤ−ＲＯＭ、ＤＶＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読み取り可能な種々の媒体を利用できる。
【発明を実施するための最良の形態】
【００１６】
図１は、本発明の一実施例における現金自動取引装置１００を示す説明図である。現金自動取引装置１００は、下側内部に、紙幣取扱装置１０を実装している。紙幣取扱装置１０は、紙幣入出金スロット２０ａを備えており、利用者は、紙幣入出金スロット２０ａを介して紙幣取扱装置１０に対し紙幣の出し入れを行なう。紙幣取扱装置１０は、紙幣取扱装置１０内の搬送路内で紙幣が詰まる等の緊急事態が発生した場合に使用する緊急時専用出金庫７０を備えている。緊急時専用出金庫７０は、緊急時用出金口７１を備えており、緊急時には緊急時用出金口７１から紙幣が排出される。紙幣取扱装置１０の構造の詳細については後述する。
【００１７】
現金自動取引装置１００は、利用者のカードを処理し、取引明細票を印字して排出するカード・明細票処理機構１０２を備えている。カード・明細書処理機構１０２は、上部正面板１０１ａに設けられたカードスロット１０２ａ及び取引明細書発行部１０２ｂと連通している。更に、現金自動取引装置１００は、取引の内容を入力及び表示するための顧客操作部１０５ａ，１０５ｂ（以下、まとめて顧客操作部１０５と呼ぶ）を備えている。
【００１８】
図２は、紙幣取扱装置１０の構成を示す説明図である。また、図３は、図２の紙幣取扱装置１０の構成を模式的に示した説明図である。紙幣取扱装置１０は、図２に示すように、上部搬送機構１０ａと、下部紙幣機構１０ｂと、緊急時専用出金庫７０から構成される。上部搬送機構１０ａは、入出金口２０と、紙幣判別部３０と、一時保管庫４０と、上部紙幣搬送路５０とを備える。下部紙幣機構１０ｂは、リサイクル庫８０ａ，８０ｂ，８０ｃと、リジェクト庫６０と、各収納庫の上面に配される下部紙幣搬送路９０とを備える。緊急時専用出金庫７０は、緊急時紙幣保管部７２と、緊急時用出金口７１と、緊急時紙幣保管部７２から緊急時用出金口７１までの図中太線の点線で示される緊急時紙幣搬送路７３と、切替ゲート７０５からポイントＰ２までの図中太線の一点鎖線で示される補充・回収用紙幣搬送路７４を備える。
【００１９】
入出金口２０は、利用者が紙幣ＰＭの投入・取り出しを行うための凹部である。紙幣判別部３０は、経路５０１ｂで示す箇所に存在する紙幣ＰＭの判別をする。判別内容については後述する。一時保管庫４０は、入金した紙幣ＰＭを取引成立までの間一旦収納する。
【００２０】
リサイクル庫８０ａ，８０ｂ，８０ｃは、入金取引が成立した紙幣ＰＭを収納し、また、出金取引の際には紙幣ＰＭを出金する。リサイクル庫８０ａ〜８０ｃは、本発明の通常時用金庫に相当する。リジェクト庫６０は、リジェクト部６０ａと運用リジェクト部６０ｂとを有している。リジェクト部６０ａに収納されるのは、現金自動取引装置１００にとって「外のリジェクト紙幣」である。「外のリジェクト紙幣」とは、銀行の紙幣ＰＭを現金自動取引装置１００内に装填する際に入出金に供しないと判定された紙幣ＰＭや、利用者が出金したのに取り忘れた「取り忘れ紙幣」である。一方、運用リジェクト部６０ｂに収納されるのは、現金自動取引装置１００にとって「内のリジェクト紙幣」である。「内のリジェクト紙幣」とは、入金処理や出金処理時に入出金に供しないと判定された紙幣ＰＭのことである。このように、現金自動取引装置１００では、現金自動取引装置１００内の紙幣枚数を明確にするため、「内の紙幣」と「外の紙幣」を分けて管理している。リジェクト庫６０は、本発明の異常紙幣収納庫に相当する。
【００２１】
緊急時紙幣保管部７２は、上部紙幣搬送路５０や下部紙幣搬送路９０において紙幣ＰＭが詰まるといった障害が起きる場合に備えて、紙幣ＰＭを保管し、その紙幣ＰＭを出金に供する。緊急時紙幣保管部７２は本発明の緊急時用金庫に相当する。緊急時用出金口７１は、緊急時に紙幣ＰＭを排出する。
【００２２】
一時保管庫４０や緊急時紙幣保管部７２は、紙幣ＰＭを巻き取ることにより紙幣ＰＭを保管する巻き取り式の保管装置であり、繰り出し時の重送を防ぐ重送判別機構（図示せず）を備える。重送とは、２枚以上の紙幣ＰＭが重ねて搬送されることである。
【００２３】
上部紙幣搬送路５０と、緊急時紙幣搬送路７３と、補充・回収用紙幣搬送路７４と、下部紙幣搬送路９０とは、図示せぬ駆動モータにより駆動される。紙幣取扱装置１０は、取引動作毎に駆動モータの回転方向を切り替えることにより、紙幣ＰＭの搬送方向を制御する。上部紙幣搬送路５０と、緊急時紙幣搬送路７３と、補充・回収用紙幣搬送路７４と、下部紙幣搬送路９０はそれぞれ独立した駆動モータにより駆動される。
【００２４】
上部紙幣搬送路５０と下部紙幣搬送路９０はポイントＰ１で接続している。紙幣取扱装置１０は、上部紙幣搬送路５０と下部紙幣搬送路９０とを用いて、紙幣ＰＭを、入出金口２０と、紙幣判別部３０と、一時保管庫４０と、リサイクル庫８０ａ〜８０ｃと、リジェクト庫６０との間を搬送する。紙幣ＰＭは、上部紙幣搬送路５０および下部紙幣搬送路９０において、経路５０１ａ〜５０１ｉおよび経路９０１ａ〜９０１ｄ、９０２ａ〜９０２ｅに沿って移動する。各経路のうち片方向の矢印は、紙幣ＰＭがその矢印方向にのみ搬送されることを示し、両方向の矢印は、紙幣ＰＭが取引動作毎に双方向のいずれかに切り替えて搬送されることを示している。上部紙幣搬送路５０と下部紙幣搬送路９０は、リサイクル庫８０ａ〜８０ｃと入出金口２０とを接続しており、本発明の「通常時用金庫と通常時用金庫の出金口とを接続する搬送路」に相当する。
【００２５】
上部紙幣搬送路５０と補充・回収用紙幣搬送路７４はポイントＰ２で接続している。この構造により、入出金口２０と、紙幣判別部３０と、一時保管庫４０と、リサイクル庫８０ａ〜８０ｃと、リジェクト庫６０と、緊急時専用出金庫７０との間の紙幣ＰＭのやり取りが可能となっている。ここで、下部紙幣搬送路９０と、上部紙幣搬送路５０と、補充・回収用紙幣搬送路７４と、緊急時紙幣搬送路７３の一部とは、リサイクル庫８０ａ〜８０ｃと緊急時紙幣保管部７２とを接続しており、本発明の接続搬送路に相当する。
【００２６】
紙幣取扱装置１０は、緊急時紙幣搬送路７３により、緊急時用紙幣保管部７２と、緊急時用出金口７１との間で紙幣ＰＭを搬送することができる。緊急時紙幣搬送路７３は、他の搬送路とは独立して駆動させることができるので、他の搬送路で緊急事態が生じていても、緊急時紙幣搬送路７３のみ駆動させることが可能である。
【００２７】
紙幣取扱装置１０は、切替ゲート７０５を回転させることにより、搬送する方向を切り替えて紙幣ＰＭを搬送することが可能である。具体的には、紙幣取扱装置１０が切替ゲート７０５を状態７０５ａにすると、紙幣ＰＭは、緊急時紙幣保管部７２とポイントＰ２との間を移動する。つまり、紙幣ＰＭは、緊急時紙幣保管部７２と切替ゲート７０５との間の経路７０１ｂと、切替ゲート７０５とポイントＰ２との間の経路７０１ｃに沿って移動する。一方、紙幣取扱装置１０が切替ゲート７０５を状態７０５ｂにすると、紙幣ＰＭは、緊急時紙幣保管部７２と緊急時用出金口７１との間を移動する。つまり、紙幣ＰＭは、経路７０１ｂと、切替ゲート７０５と緊急時用出金口７１との間の経路７０１ａに沿って移動する。
【００２８】
同様に、紙幣取扱装置１０は、切替ゲート５０２〜切替ゲート５０４や、切替ゲート９０３を回転させ、紙幣ＰＭの搬送方向を切り替える。以下、図３により説明する。紙幣取扱装置１０は、切替ゲート５０２を状態５０２ａにして、紙幣ＰＭが、入出金口２０と切替ゲート５０２との間の経路５０１ａと、切替ゲート５０２と紙幣判別部３０との間の経路５０１ｂを移動するようにしたり、切替ゲート５０２を状態５０２ｂにして、紙幣ＰＭが、ポイントＰ１と切替ゲート５０２との間の経路５０１ｉと、経路５０１ｂを移動するようにしたりする。
【００２９】
紙幣取扱装置１０は、切替ゲート５０３を状態５０３ａにすることで、紙幣ＰＭが、弓形の切替ゲート５０３の凹部分に沿った経路５０１ｄを移動するようにし、切替ゲート５０３を状態５０３ｂにすることで、紙幣ＰＭが、切替ゲート５０３の凸部分の下側に沿った経路５０１ｆを移動するようにし、切替ゲート５０３を状態５０３ｃにすることで、紙幣ＰＭが、切替ゲート５０３の凸部分の上側に沿った経路５０１ｇを移動するようにする。つまり、一時保管庫４０と切替ゲート５０３の間の経路５０１ｅを、切替ゲート５０３の方向に移動してきた紙幣ＰＭは、切替ゲート５０３の状態に応じて、経路５０１ｄを移動し紙幣判別部３０に向かって搬送されるか、経路５０１ｇに沿って移動する。また、紙幣判別部３０と切替ゲート５０３の間の経路５０１ｃを、切替ゲート５０３の方向に移動してきた紙幣ＰＭは、切替ゲート５０３の状態に応じて、経路５０１ｄを移動し一時保管庫４０に収納されるか、経路５０１ｆに沿って移動する。
【００３０】
更に、紙幣取扱装置１０は、切替ゲート５０４を状態５０４ｂにすることで、紙幣ＰＭが、切替ゲート５０３と入出金口２０との間の経路５０１ｈを移動するようにし、切替ゲート５０４を状態５０４ａにすることで、紙幣ＰＭが、経路５０１ｈの一部である切替ゲート５０３とポイントＰ２との間と、経路７０１ｃに沿って移動するようにする。
【００３１】
また、ポイントＰ１と切替ゲート９０３との間の経路９０１ａを移動し、切替ゲート９０３まで搬送されてきた紙幣ＰＭは、紙幣取扱装置１０が切替ゲート９０３を状態９０３ａにすることで、切替ゲート９０３と切替ゲート９０４との間の経路９０１ｂを移動し、紙幣取扱装置１０が切替ゲート９０３を状態９０３ｂにすることで、切替ゲート９０３とリサイクル庫８０ａとの間の経路９０２ａを移動する。経路９０２ａを移動することにより、紙幣ＰＭはリサイクル庫８０ａに保管される。リサイクル庫８０ｂの上部に設けられた切替ゲート９０４や、リサイクル庫８０ｃの上部に設けられた切替ゲートについても切替ゲート９０３と同様の働きをする。
【００３２】
図４は、現金自動取引装置１００の制御関係を示す制御ブロック図である。図１で述べたようにカード・明細票処理機構１０２と、紙幣取扱装置１０と、顧客操作部１０５と、緊急時専用出金庫７０は、バス１０７ａを介して本体制御部１０７と接続されており、本体制御部１０７の制御の下に必要な動作を行う。本体制御部１０７は、上記の他に、インタフェース部１０７ｂと、係員操作部１０７ｃと、外部記憶装置１０７ｄともバス１０７ａで接続されており、必要なデータのやりとりを行うが、本発明の特徴には直接関係がないので詳細な説明は省略する。なお、図４には、上記各機構や、構成部分に電力を供給する電源部１０１ｅも示した。
【００３３】
図５は、紙幣取扱装置１０の制御関係を示す制御ブロック図である。制御部１５は、装置の本体制御部１０７とバス１０７ａを介して接続され、本体制御部１０７からの指令および紙幣取扱装置１０の状態検出に応じて、紙幣取扱装置１０および緊急時専用出金庫７０の制御を行う。また、制御部１５は、紙幣取扱装置１０および緊急時専用出金庫７０の状態を、必要に応じて本体制御部１０７に送る。
【００３４】
制御部１５は、各ユニット（入出金口２０、紙幣判別部３０、一時保管庫４０、リジェクト庫６０、リサイクル庫８０ａ〜８０ｃ、緊急時用紙幣保管部７２、緊急時用出金口７１）及び各搬送路（上部紙幣搬送路５０、緊急時紙幣搬送路７３、補充・回収用紙幣搬送路７４、下部紙幣搬送路９０）の駆動モータや電磁ソレノイドやセンサと接続され、取引に応じて、センサで状態を監視しながら、アクチュエータを駆動制御する。
【００３５】
例えば、制御部１５は、入出金口２０や、紙幣判別部３０や、一時保管庫４０や、リサイクル庫８０ａ〜８０ｃや、リジェクト庫６０に備えられた、紙幣ＰＭの収納および繰り出しを検出するセンサや、上部紙幣搬送路５０や下部紙幣搬送路９０に備えられた紙片ＰＭの通過状態を検知するセンサの検出結果を取得する。そして、取得した収納枚数および繰り出し枚数と、通過枚数とを、それぞれカウントし管理する。制御部１５は、紙幣ＰＭの繰り出しと紙幣ＰＭの通過のタイミングを監視し、紙幣ＰＭの繰り出しに対して紙幣ＰＭが検知されない場合、紙幣搬送路内で紙詰まり等の緊急事態（以下、単にジャムと呼ぶ）が発生したと判断し、緊急時対応処理を行なう。具体的には、制御部１５は、紙幣ＰＭの繰り出しから紙幣搬送路のセンサ位置を通過するまでに要する予想時間の１．５倍経過しても、紙幣ＰＭが通過しない場合は、紙幣ＰＭが紙幣搬送路内のどこかで詰まったと判断する。
【００３６】
緊急時対応処理においては、制御部１５は、紙幣取扱装置１０における緊急時専用出金庫７０以外の機能を停止し、利用者に対しては出金処理のみ可能であることを通知し、緊急時専用出金庫７０からの出金動作のみ実行する。緊急時専用出金庫７０からの出金動作を、以下では、緊急時出金動作と呼ぶ。
【００３７】
図６は、緊急時出金動作を示す説明図である。緊急時出金動作においては、紙幣ＰＭは、緊急時用紙幣保管部７２（図２参照）から繰り出され、経路７０１ａを移動し、緊急時用出金口７１から排出される。上述したように、緊急時紙幣搬送路７３は、他の搬送路とは独立して駆動させることができるので、他の搬送路でジャムなどの緊急事態が生じていても、緊急時紙幣搬送路７３のみ駆動させ、緊急時出金動作により出金をすることができる。更に、緊急時用出金口７１は入出金口２０と別個に設けられているので、緊急時に入出金口２０から出金する場合に比べ、緊急時の出金をより確実に行なうことができる。
【００３８】
更に、制御部１５は、リサイクル庫８０ａ〜８０ｃから緊急時用紙幣保管部７２への紙幣ＰＭの補充、緊急時用紙幣保管部７２からリサイクル庫８０ａ〜８０ｃへの紙幣ＰＭの回収も実現する。この処理を以下、補充・回収処理と呼ぶ。
【００３９】
図７は、制御部１５の機能ブロックを示す説明図である。入出力部１５ａは、上記各ユニット及び各搬送路に備えられたセンサや、本体制御部１０７との信号の入出力を制御する。搬送制御部１５ｅは、入出金口２０と、紙幣判別部３０と、一時保管庫４０と、上部紙幣搬送路５０と、リジェクト庫６０と、リサイクル庫８０ａ〜８０ｃと、下部紙幣搬送路９０におけるアクチュエータを駆動制御する。搬送制御部１５ｅは、本発明の通常時出金部及び通常時入金部に相当する。監視部１５ｆは、上記収納枚数および繰り出し枚数や、紙幣搬送路における通過枚数を管理し、紙幣の繰り出しと紙幣ＰＭの通過のタイミングを監視する。更に、監視部１５ｆは、ジャムが発生したか否かの判断も行なう。監視部１５ｆは、本発明における検出部に相当する。
【００４０】
ガイダンス表示部１５ｄは、紙幣ＰＭの受取口が緊急時用出金口７１に変更されたことを顧客操作部１０５に示す。また、ガイダンス表示部１５ｄは、緊急時対応処理として、利用者に対して出金処理のみ可能であることを顧客操作部１０５に示す。緊急時搬送制御部１５ｇは、緊急時用紙幣保管部７２と、緊急時用出金口７１と、緊急時紙幣搬送路７３におけるアクチュエータを駆動制御し、緊急時出金動作を実現する。緊急時搬送制御部１５ｇは、本発明の緊急時出金部に相当する。補充・回収時搬送制御部１５ｃは、補充・回収処理において、上記各ユニット及び各搬送路のアクチュエータを駆動制御する。補充・回収時搬送制御部１５ｃは、本発明の紙幣搬送部に相当する。主制御部１５ｂは、以上の機能を制御して、各処理を実現する。
【００４１】
図８は、ジャム発生後に制御部１５が実行する処理を示すフローチャートである。監視部１５ｆは、上記各ユニット及び各搬送路のいずれかで、ジャムの発生により正常な紙幣ＰＭの搬送が不可能となった場合、上述したセンサの検出結果により、ジャム発生箇所を特定する（ステップＳ１０）。ジャム発生箇所が下部紙幣機構１０ｂの場合は（ステップＳ２０：Ｙｅｓ）、取引の継続不可を示すガイダンスを顧客操作部１０５に表示し（ステップＳ３０）、取引を休止する（ステップＳ４０）。なお、ジャムが発生した場合、制御部１５から緊急事態発生の報告を受けた本体制御部１０７が、現金自動取引装置１００を管理する端末に緊急事態発生の報告を伝達することが好ましい。
【００４２】
ジャム発生箇所が上部搬送路１０ａの場合は（ステップＳ２０：Ｎｏ）、制御部１５は、ジャムが発生した際行なっていた取引動作に応じた処理を行う。取引動作には、入金計数動作と、取消返却動作と、入金収納動作と、出金動作と、出金リジェクト動作と、取り忘れ回収動作がある。以下、各取引動作の内容と、各取引動作中にジャムが発生した際の対応を順に説明する。
【００４３】
図９は、入金計数動作を示す説明図である。入金計数動作とは、利用者により入金された紙幣ＰＭの真偽や金種を判別し、入金金額を調べる動作である。入金計数動作においては、搬送制御部１５ｅは、入出金口２０に投入された紙幣ＰＭを一枚ずつに分離し、切替ゲート５０２を状態５０２ａとして、紙幣ＰＭに経路５０１ａ，５０１ｂを通過させる。紙幣判別部３０は、経路５０１ｂを通る紙幣ＰＭの金種と、真偽を判別する。偽金ではないと判断され、かつ金種が判別された紙幣ＰＭは、搬送制御部１５ｅが切替ゲート５０３を状態５０３ａに切り替えることにより、経路５０１ｃから経路５０１ｄ，５０１ｅへと搬送され、一時保管庫４０に一旦収納される。紙幣判別部３０により偽金であると判断されるか金種が判別できなかった入金リジェクト紙幣、あるいは紙幣ＰＭの傾きや紙幣ＰＭ同士の間隔に異常がある入金リジェクト紙幣は、一時保管庫４０には取り込まれない。搬送制御部１５ｅが切替ゲート５０３を５０３ｂに切り替えることにより、入金リジェクト紙幣は、経路５０１ｆ，５０１ｈを通過し、入出金口２０に収納され、利用者に返却される。
【００４４】
図８に戻る。以上の入金計数動作中にジャムが発生した場合（ステップＳ５０：Ｙｅｓ）、取引の継続不可を示すガイダンスを顧客操作部１０５に表示し（ステップＳ３０）、取引を休止する（ステップＳ４０）。現金自動取引装置１００は、まだ計数途中であるため、入金金額を判断できない。しかし、入金された紙幣を返却する必要がある。よって、本実施例では下部紙幣機構１０ｂでジャムが発生した場合と同様に取引を休止させ、現金自動取引装置１００の係員が現金自動取引装置１００を調べることができるようにする。係員は、調査により入金された金額を割り出し、直接利用者に紙幣ＰＭを返却する。これにより、利用者に、入金した分の紙幣を返却することができる。但し、入金計数動作では、下部紙幣機構１０ｂに紙幣ＰＭは残留しないため、係員が到着するまで緊急時出金動作による取引のみの運用を行うものとしても良い。
【００４５】
ジャムが発生したのは入金計数動作中ではない場合（ステップＳ５０：Ｎｏ）、次のステップに移行し、他の取引動作中であるか否かを調べる。
【００４６】
図１０は、取消返却動作を示す説明図である。取消返却動作は、入金時の利用者の確認入力の際、利用者が「取消」を選択した場合に行なわれる動作であり、入金金額分の紙幣ＰＭを返却する動作である。取消し返却動作においては、搬送制御部１５ｅは、切替ゲート５０３を状態５０３ｃに切り替え、入金計数動作により一時保管庫４０に巻き取られていた紙幣ＰＭを一時保管庫４０から繰り出して、経路５０１ｅ，５０１ｇ，５０１ｈの順に搬送し、入出金口２０に収納する。これにより、入金金額分の紙幣ＰＭが利用者に返却される。
【００４７】
図８に戻る。以上の取消返却動作中に上部搬送機構１０ａでジャムが発生した場合（ステップＳ６０：Ｙｅｓ）、一時保管庫４０から入出金口２０へ紙幣ＰＭの繰出しが不可能となるため、ガイダンス表示部１５ｄは、紙幣ＰＭを受け取る場所が入出金口２０から緊急時用出金口７１に変更となる旨を伝えるガイダンスを顧客操作部１０５に表示する（ステップＳ７０）。そして、緊急時搬送制御部１５ｇが、緊急時用紙幣保管部７２から、入金計数動作時に計数した金額と同額分の紙幣ＰＭを、図６で示した緊急時出金動作により利用者に返却する（ステップＳ８０）。このとき、緊急時用出金口７１を発光させるなどして案内をすると更に良い。紙幣ＰＭを返却し、取引が終了した後（ステップＳ１３０）、ガイダンス表示部１５ｄは、「出金取引のみ可能」を示すガイダンスを顧客操作部１０５に表示し（ステップＳ１４０）、以後、係員が到着するまで、現金自動取引装置１００は緊急時搬送制御部１５ｇによる緊急時出金動作のみの運用に移行して取引を継続する（ステップＳ１５０）。ステップＳ１４０とステップＳ１５０の処理は、上記した緊急時対応処理に相当する。
【００４８】
ジャムが発生したのは入金計数動作中でも取消返却動作でもない場合（ステップＳ６０：Ｎｏ）、次のステップに移行し、他の取引動作中であるか否かを調べる。
【００４９】
図１１は、入金収納動作を示す説明図である。入金収納動作とは、入金計数動作後に一時保管庫４０に保管していた紙幣ＰＭをリサイクル庫８０ａ〜８０ｃ、あるいはリジェクト庫６０に収納する動作である。
【００５０】
入金収納動作においては、搬送制御部１５ｅは、一時保管庫４０に収納されていた紙幣ＰＭを、入金計数動作の時とは逆方向に、経路５０１ｅ，５０１ｄに送出し、経路５０１ｃ，５０１ｂと搬送し、紙幣判別部３０を通過させる。そして、金種、真偽を判別させる。次に、搬送制御部１５ｅは、切替ゲート５０２を状態５０２ｂにして、紙幣ＰＭに経路５０１ｉ，９０１ａを通過させ、リサイクル庫８０ａ〜８０ｃ上部にある切替ゲートのいずれか１つを点線で示される状態に切り替え、経路９０２ａ〜９０２ｃのいずれかによりリサイクル庫８０ａ〜８０ｃのいずれかに紙幣ＰＭを収納する。あるいは、リサイクル庫８０ａ〜８０ｃ上部にある切替ゲートは実線で示される状態のままにし、紙幣ＰＭに経路９０１ｂ，９０１ｃ，９０１ｄを通過させ、紙幣ＰＭを経路９０２ｄによりリジェクト庫６０の運用リジェクト部６０ｂに収納する。
【００５１】
リサイクル庫８０ａ〜８０ｃは、金種毎の金庫である。いずれのリサイクル庫８０ａ〜８０ｃあるいはリジェクト庫６０（以下、リサイクル庫８０ａ〜８０ｃとリジェクト庫６０をまとめて収納庫と呼ぶ）に収納するかは、制御部１５が入金収納動作中の紙幣判別部３０の判別結果（金種、真偽等）に基づいて決定する。搬送制御部１５ｅは、判別可能な紙幣ＰＭで、リサイクル庫８０ａ〜８０ｃに収納できる金種の紙幣ＰＭはリサイクル庫８０ａ〜８０ｃに収納し、判別不可能な紙幣ＰＭは、リジェクト庫６０の運用リジェクト部６０ｂに収納する。なお、入金計数動作中の紙幣判別部３０による全紙幣の判別結果（金種）を記憶する手段を持ち、その記憶内容に基づき、紙幣ＰＭを搬送される収納庫を決定するものとしても良い。
【００５２】
一方、取り忘れ回収動作とは、出金した紙幣ＰＭ又は入金リジェクト紙幣を利用者が入出金口２０から取り忘れたものと制御部１５が判断した場合に実行される動作である。取り忘れ回収動作においては、現金自動取引装置１００は、入出金口２０内の紙幣ＰＭを一旦一時保管庫４０に収納し、それをリジェクト庫６０に収納する。
【００５３】
取り忘れ回収動作において、入出金口２０内の紙幣ＰＭを一時保管庫４０に収納する動作では、上述した入金計数動作と同じ動作が行なわれる。但し、取り忘れ回収計数動作においては、紙幣判別部３０により偽金であると判断されるか金種が判別できなかったリジェクト紙幣や、紙幣ＰＭの傾きや紙幣ＰＭ同士の間隔に異常があるリジェクト紙幣も、一時保管庫４０に取り込む。
【００５４】
取り忘れ回収動作において、一時保管庫４０に収納した紙幣ＰＭをリジェクト庫６０に収納する動作は、入金収納動作とほぼ同じであるが、紙幣判別部３０の判別結果に関わらず、紙幣ＰＭは経路９０２ｅによりリジェクト庫６０のリジェクト部６０ａに収納する。
【００５５】
図８に戻る。以上の入金収納動作中、または取り忘れ回収動作中（図示せず）にジャムが発生した場合（ステップＳ９０：Ｙｅｓ）、制御部１５は取引終了（ステップＳ１３０）とし、ガイダンス表示部１５ｄは、「出金取引のみ可能」を示すガイダンスを顧客操作部１０５に表示し（ステップＳ１４０）、以後、係員が到着するまで緊急時出金動作のみの運用に移行して取引を継続する（ステップＳ１５０）。
【００５６】
ジャムが発生したのは入金計数動作中でも取消返却動作でも入金収納動作中でも取り忘れ回収動作中でもない場合（ステップＳ９０：Ｎｏ）、次のステップに移行し、出金動作中であるか否かを調べる。
【００５７】
図１２は、出金動作を示す説明図である。出金動作とは、利用者の指定する出金金額に応じて、リサイクル庫８０ａ〜８０ｃに収納されている紙幣ＰＭを入出金口２０に搬送する動作である。
【００５８】
出金動作においては、搬送制御部１５ｅは、各リサイクル庫８０ａ〜８０ｃから紙幣ＰＭを経路９０２ｃ，９０１ｃ，９０２ｂ，９０１ｂ，９０２ａにより繰り出し、経路９０１ａ，５０１ｉ，５０１ｂを通過させて、紙幣判別部３０で、重送の有無を判別させる。紙幣判別部３０により、重送ではなく正常な出金であると判別された場合は、搬送制御部１５ｅは、切替ゲート５０３を状態５０３ｂにし、経路５０１ｃ，５０１ｆ，５０１ｈを通過させて紙幣ＰＭを入出金口２０に収納する。これにより、出金金額分の紙幣ＰＭが利用者に支払われる。紙幣判別部３０により、正常な出金ではなく重送であると判別された場合は、搬送制御部１５ｅは、切替ゲート５０３を状態５０３ａにし、重送されている紙幣ＰＭを経路５０１ｃ，５０１ｄ，５０１ｅにより搬送し、一時保管庫４０に一旦収納する。この場合、搬送制御部１５ｅは、一時保管庫４０に収納された紙幣ＰＭと、金種及び枚数が同じ分の紙幣ＰＭを、再度リサイクル庫８０ａ〜８０ｃから繰り出す。なお、紙幣判別部３０は重送の他に紙幣の姿勢、金種、真偽等も判定するものとしても良い。
【００５９】
図８に戻る。以上の出金動作中にジャムが発生した場合（ステップＳ１００：Ｙｅｓ）、ガイダンス表示部１５ｄは、紙幣ＰＭを受け取る場所が入出金口２０から緊急時用出金口７１に変更となる旨を伝えるガイダンスを顧客操作部１０５に表示する（ステップＳ１１０）。そして、緊急時搬送制御部１５ｇが、緊急時用紙幣保管部７２から、出金金額と同額の紙幣ＰＭを、図６で示した緊急時出金動作により利用者に返却する（ステップＳ１２０）。紙幣ＰＭを返却し、取引が終了した後（ステップＳ１３０）、ガイダンス表示部１５ｄは、「出金取引のみ可能」を示すガイダンスを顧客操作部１０５に表示し（ステップＳ１４０）、以後、係員が到着するまで緊急時出金動作のみの運用に移行して取引を継続する（ステップＳ１５０）。
【００６０】
ジャムが発生したのが入金計数動作中でも取消返却動作でも入金収納動作中でも取り忘れ回収動作中でも出金動作中でもない場合は（ステップＳ１００：Ｎｏ）、ジャムが発生したのは出金リジェクト動作中であることになる。
【００６１】
図１３は、出金リジェクト動作を示す説明図である。出金リジェクト動作とは、出金動作後に、一時保管庫４０に保管されていた紙幣ＰＭを、リサイクル庫８０ａ〜８０ｃ、あるいはリジェクト庫６０に収納する動作である。
【００６２】
出金リジェクト動作においては、搬送制御部１５ｅは、一時保管庫４０に収納されていた紙幣ＰＭを、出金動作の時とは逆方向に、経路５０１ｅ，５０１ｄに送出し、経路５０１ｃ，５０１ｂと搬送し、紙幣判別部３０を通過させる。そして、再度、金種、真偽を判別させる。次に、搬送制御部１５ｅは、切替ゲート５０２を状態５０２ｂにして、紙幣ＰＭに経路５０１ｉ，９０１ａを経由させ、リサイクル庫８０ａ〜８０ｃ上部にある切替ゲートのいずれか１つを点線で示される状態に切り替え、経路９０２ａ〜９０２ｃのいずれかによりリサイクル庫８０ａ〜８０ｃのいずれかに紙幣ＰＭを収納する。あるいは、リサイクル庫８０ａ〜８０ｃ上部にある切替ゲートは実線で示される状態のままにし、紙幣ＰＭに経路９０１ｂ，９０１ｃ，９０１ｄを経由させ、紙幣ＰＭを経路９０２ｄによりリジェクト庫６０の運用リジェクト部６０ｂに収納する。
【００６３】
いずれの収納庫に収納するのかは、制御部１５が紙幣判別部３０の判別結果（金種、真偽等）に基づいて決定する。搬送制御部１５ｅは、判別可能な紙幣ＰＭで、リサイクル庫８０ａ〜８０ｃに収納できる金種の紙幣ＰＭはリサイクル庫８０ａ〜８０ｃに収納し、判別不可能な紙幣ＰＭは、リジェクト庫６０の運用リジェクト部６０ｂに収納する。出金動作時に一旦リジェクトされた紙幣ＰＭを、再度判別して、使用可能な紙幣ＰＭはリサイクル庫８０ａ〜８０ｃに収納しているので、リジェクト紙幣の枚数を低減でき、資金効率の向上を図ることができる。
【００６４】
図８に戻る。以上の出金リジェクト動作中にジャムが発生した場合（ステップＳ１００：Ｎｏ）、制御部１５は取引終了とし（ステップＳ１３０）、ガイダンス表示部１５ｄは、「出金取引のみ可能」を示すガイダンスを顧客操作部１０５に表示し（ステップＳ１４０）、以後、現金自動取引装置１００は係員が到着するまで緊急時出金動作のみの運用に移行して取引を継続する（ステップＳ１５０）。
【００６５】
次に、上記した補充・回収処理について説明する。図１４は、リサイクル庫８０ａ〜８０ｃから緊急時用紙幣保管部７２への紙幣ＰＭの補充処理を示す説明図である。リサイクル庫８０ａ〜８０ｃから緊急時用紙幣保管部７２への補充処理においては、補充・回収時搬送制御部１５ｃは、リサイクル庫８０ａ〜８０ｃのいずれかから、所定の金種の紙幣ＰＭを所定枚数繰り出す。繰り出された紙幣ＰＭは、経路９０２ａ，９０１ａ，５０１ｉを経由して、紙幣判別部３０で重送の有無を判別される。
【００６６】
紙幣判別部３０により、重送ではなく正常な出金であると判別された場合は、補充・回収時搬送制御部１５ｃは、切替ゲート５０３を状態５０３ｂにし、紙幣ＰＭに経路５０１ｃ，５０１ｆ，５０１ｈを通過させる。次に、補充・回収時搬送制御部１５ｃは、切替ゲート５０４を状態５０４ａにし、紙幣ＰＭに経路７０１ｃを通過させる。更に、補充・回収時搬送制御部１５ｃは、切替ゲート７０５を状態７０５ａにし、紙幣ＰＭに経路７０１ｂを通過させ、紙幣ＰＭを緊急時用紙幣保管部７２に収納する（図２参照）。これにより、緊急時用紙幣保管部７２に紙幣ＰＭを補充することができる。
【００６７】
一方、紙幣判別部３０により、正常な出金ではなく重送である判別された場合は、補充・回収時搬送制御部１５ｃは、切替ゲート５０３を状態５０３ａにし、重送されている紙幣ＰＭを経路５０１ｃ，５０１ｄ，５０１ｅにより搬送し、一時保管庫４０に一旦収納する。この場合、搬送制御部１５ｅは、一時保管庫４０に収納された紙幣ＰＭと、金種及び枚数が同じ分の紙幣ＰＭを、リサイクル庫８０ａ〜８０ｃから繰り出し、再度、緊急時用紙幣保管部７２に紙幣ＰＭを補充するものとしても良い。なお、紙幣判別部３０は重送の他に紙幣の姿勢、金種、真偽等も判定するものとしても良い。
【００６８】
緊急時用紙幣保管部７２に紙幣ＰＭを補充する際に、一時保管庫４０に一旦収納された補充リジェクト紙幣は、補充・回収時搬送制御部１５ｃが、図１３で説明した出金リジェクト動作と同様にリサイクル庫８０ａ〜８０ｃまたはリジェクト庫６０の運用リジェクト部６０ｂに回収する。出金リジェクト動作と同様に、一旦リジェクトされた紙幣ＰＭを、再度判別して、使用可能な紙幣ＰＭはリサイクル庫８０ａ〜８０ｃに収納しているので、リジェクト紙幣の枚数を低減でき、資金効率の向上を図ることができる。
【００６９】
なお、緊急時用紙幣保管部７２への紙幣ＰＭの補充は、所定のタイミングで行なわれる。例えば、現金自動取引装置１００の一日における取引開始時や、あるいは所定時間おき、あるいは利用者からの取引要求が途絶えている時などである。
【００７０】
図１５は、緊急時用紙幣保管部７２からリサイクル庫８０ａ〜８０ｃへの紙幣ＰＭの回収処理を示す説明図である。緊急時用紙幣保管部７２からリサイクル庫８０ａ〜８０ｃへの回収処理においては、補充・回収時搬送制御部１５ｃは、緊急時用紙幣保管部７２から１枚ずつ紙幣ＰＭを繰り出し、切替ゲート７０５を状態７０５ａにして、繰り出した紙幣ＰＭが経路７０１ｂ，７０１ｃを通過するようにする（図２参照）。次に、補充・回収時搬送制御部１５ｃは、切替ゲート５０４を状態５０４ａにし、切替ゲート５０３を状態５０３ｂにして、紙幣ＰＭに経路５０１ｈ，５０１ｆ，５０１ｃ，５０１ｂを通過させる。紙幣判別部３０は、経路５０１ｂを通過する紙幣ＰＭの金種や真偽を判別する。補充・回収時搬送制御部１５ｃは、判別された紙幣で、リサイクル庫８０ａ〜８０ｃに収納できる金種の紙幣ＰＭは、経路５０１ｉ及び経路９０１ａ〜９０１ｃ，９０２ａ〜９０２ｃにより、リサイクル庫８０ａ〜８０ｃに収納する。判別されなかった紙幣ＰＭ、あるいはリサイクル庫に収納できない紙幣ＰＭは、経路９０１ｄ，９０２ｄによりリジェクト庫６０の運用リジェクト部６０ｂに収納する。
【００７１】
なお、緊急時用紙幣保管部７２からの紙幣ＰＭの回収は、所定のタイミングで行なうことが好ましい。例えば、現金自動取引装置１００の一日における取引終了時や利用者からの取引要求が途絶えている時などである。
【００７２】
このように、本実施例では、経路７０１ｂ，７０１ａのみを使用し出金をする緊急時出金動作を実現させているので、上部搬送機構１０ａでジャムが発生した際も、緊急時出金動作により出金取引を継続することができる。これにより、本実施例の紙幣取扱装置１０を備えた端末（実施例では現金自動取引装置１００）の稼働率を上げることができる。更に、本実施例では、緊急時用紙幣保管部７２への紙幣ＰＭの補充と緊急時用紙幣保管部７２からの紙幣ＰＭの回収を自動的に行なう補充・回収処理を実現しているので、係員が緊急時用紙幣保管部７２への紙幣ＰＭの補充・回収を行なう手間を省くことができる。
【００７３】
また、本実施例では、補充・回収処理を行なう際の搬送路の一部として、上部紙幣搬送路５０と下部紙幣搬送路９０をそのまま利用することで、搬送路の全長を短くすることができた。更に、補充・回収処理を行なう際にも、紙幣判別部３０により紙幣ＰＭの判別を行ない、問題のある紙幣ＰＭはリジェクト庫６０に回収しているので、問題のある紙幣ＰＭが出金に供される紙幣ＰＭに混ざる可能性を低下させることができる。
【００７４】
その他の実施例：
（１）上記実施例では、ジャム発生位置が下部紙幣機構１０ｂの場合は（ステップＳ２０：ＹＥＳ）、取引中止（ステップＳ３０）にしていたが、ジャム発生位置が下部紙幣機構１０ｂの場合も、ステップＳ５０〜ステップＳ１５０の処理を行ない、緊急時専用出金庫７０からの出金を実行するものとしても良い。
【００７５】
（２）制御部１５は、取引動作が「取消返却」または「出金」である場合、数枚の紙幣ＰＭを入出金口２０に排出した後にジャムが発生したら、残りの出金金額に相当する紙幣ＰＭを緊急時専用出金庫７０から排出する機能を備えるものとしても良い。これにより、利用者が指定した出金金額分の紙幣ＰＭを排出することができる。
【００７６】
（３）上記実施例では、紙幣取扱装置１０は利用者の入金要求にも応えることができる設計となっているが、出金要求のみに応えるものであっても構わない。逆に、実施例では緊急時には緊急時専用出金庫７０からの出金のみ可能としているが、緊急時専用出金庫７０への入金も可能であるものとしても良い。即ち、緊急時に入金も可能であるものとしても良い。その際には、入金された紙幣ＰＭを判別する紙幣判別部を備えることが望ましい。
【００７７】
（４）上記実施例では、リサイクル庫８０ａ〜８０ｃの紙幣ＰＭを排出する入出金口２０と、緊急時紙幣保管部７２の紙幣ＰＭを排出する緊急時用出金口７１とは別個に備えているが、同一の出金口から出金するものとしても良い。そのようにすると、利用者に出金口が変更されたことを伝える必要がなくなる。
【００７８】
（５）リサイクル庫８０ａ〜８０ｃと緊急時紙幣保管部７２とを接続する接続搬送路は、下部紙幣搬送路９０と、上部紙幣搬送路５０と、補充・回収用紙幣搬送路７４と、緊急時紙幣搬送路７３の一部である。よって、接続搬送路の一部が、リサイクル庫８０ａ〜８０ｃと入出金口２０とを接続する搬送路の一部としても使用されている。なお、接続搬送路の一部が、リサイクル庫８０ａ〜８０ｃと入出金口２０とを接続する搬送路の一部として使用されている必要はなく、リサイクル庫８０ａ〜８０ｃと緊急時紙幣保管部７２との間の紙幣ＰＭの移動専用の接続搬送路を備えるものとしても良い。
【００７９】
（６）本実施例では、リサイクル庫８０ａ〜８０ｃと緊急時紙幣保管部７２との間の紙幣の移動の例として、紙幣ＰＭの補充・回収時の移動を示していたが、紙幣ＰＭの移動としては補充・回収時に限らない。一方、本実施例では、紙幣ＰＭの補充・回収を行なっていたが、補充・回収は必ずしも行なわなくても良い。更に、補充・回収の際に紙幣ＰＭを紙幣判別部３０で正常か否か判別していたが、判別も必ずしも行なわなくても良い。逆に、判別回数は１回に限らず、複数回行なうものとしても良い。複数回行なうことにより、一度異常であると判別された紙幣ＰＭが正常であると判別しなおされる場合もある。その場合、正常、つまり使用可能な紙幣ＰＭの枚数が増えるので、資金効率の向上を図ることができる。なお、紙幣ＰＭが正常であるとは、紙幣ＰＭが重送されていない、あるいは紙幣ＰＭの姿勢が所定の許容範囲内である、あるいは紙幣ＰＭが偽物ではない、といういずれかの条件又は全ての条件を満たすことである。
【００８０】
（７）上記実施例では緊急時として、紙幣が詰まった場合を例に挙げ述べているが、ジャムに限らず、リサイクル庫８０ａ〜８０ｃから出金不可能である場合を緊急時と判断して、緊急時紙幣保管部７２から出金するものとしても良い。これにより、リサイクル庫８０ａ〜８０ｃから出金不可能である場合にも出金処理を継続することができる。
【００８１】
（８）緊急時紙幣保管部７２に保管する紙幣ＰＭの金種は問わない。千円札、二千円札、五千円札、一万円札など様々に保管可能であり、多種類の紙幣ＰＭを保管するものとしても良い。
【００８２】
（９）本実施例では、現金自動取引装置１００に備えられた紙幣取扱装置１０について説明したが、これに限らず、紙幣ＰＭの排出が想定される各種機器に備えられた紙幣取扱装置１０についても本発明は適用可能である。紙幣取扱装置１０で取り扱うものは、紙幣ＰＭに限らず、紙葉類であっても良い。
【００８３】
以上、実施例に基づき本発明に係る紙幣取扱装置、紙幣取扱装置を制御する方法および紙幣取扱装置の機能を実現させるためのプログラムを説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれることはもちろんである。
【図面の簡単な説明】
【００８４】
【図１】現金自動取引装置１００を示す説明図。
【図２】紙幣取扱装置１０の構成を示す説明図。
【図３】紙幣取扱装置１０の構成を模式的に示した説明図。
【図４】現金自動取引装置１００の制御関係を示す制御ブロック図。
【図５】紙幣取扱装置１０の制御関係を示す制御ブロック図。
【図６】緊急時出金動作を示す説明図。
【図７】制御部１５の機能ブロックを示す説明図。
【図８】ジャム発生後に制御部１５が実行する処理を示すフローチャート。
【図９】入金計数動作を示す説明図。
【図１０】取消返却動作を示す説明図。
【図１１】入金収納動作を示す説明図。
【図１２】出金動作を示す説明図。
【図１３】出金リジェクト動作を示す説明図。
【図１４】リサイクル庫８０ａ〜８０ｃから緊急時用紙幣保管部７２への紙幣ＰＭの補充処理を示す説明図。
【図１５】緊急時用紙幣保管部７２からリサイクル庫８０ａ〜８０ｃへの紙幣ＰＭの回収処理を示す説明図。
【符号の説明】
【００８５】
１０...紙幣取扱装置
１０ａ...上部搬送機構
１０ｂ...下部紙幣機構
１５...制御部
１５ａ...入出力部
１５ｂ...主制御部
１５ｃ...補充・回収時搬送制御部
１５ｄ...ガイダンス表示部
１５ｅ...搬送制御部
１５ｆ...監視部
１５ｇ...緊急時搬送制御部
２０...入出金口
２０ａ...紙幣入出金スロット
３０...紙幣判別部
４０...一時保管庫
５０...上部紙幣搬送路
５０１ａ〜５０１ｉ...経路
５０２〜５０４...切替ゲート
６０...リジェクト庫
６０ａ...リジェクト部
６０ｂ...運用リジェクト部
７０...緊急時専用出金庫
７１...緊急時用出金口
７２...緊急時用紙幣保管部
７３...緊急時紙幣搬送路
７４...補充・回収用紙幣搬送路
７０１ａ〜７０１ｃ...経路
７０５...切替ゲート
８０ａ，８０ｂ，８０ｃ...リサイクル庫
９０...下部紙幣搬送路
９０１ａ〜９０１ｄ...経路
９０２ａ〜９０２ｄ...経路
９０３，９０４...切替ゲート
１００...現金自動取引装置
１０１ａ...上部正面板
１０１ｅ...電源部
１０２...カード・明細票処理機構
１０２ａ...カードスロット
１０２ｂ...取引発行部
１０５ａ，１０５ｂ...顧客操作部
１０７...本体制御部
１０７ａ...バス
１０７ｂ...インタフェース部
１０７ｃ...係員操作部
１０７ｄ...外部記憶装置
ＰＭ...紙幣
【図１】
2006065539.tif 000003
【図２】
2006065539.tif 000004
【図３】
2006065539.tif 000005
【図４】
2006065539.tif 000006
【図５】
2006065539.tif 000007
【図６】
2006065539.tif 000008
【図７】
2006065539.tif 000009
【図８】
2006065539.tif 000010
【図９】
2006065539.tif 000011
【図１０】
2006065539.tif 000012
【図１１】
2006065539.tif 000013
【図１２】
2006065539.tif 000014
【図１３】
2006065539.tif 000015
【図１４】
2006065539.tif 000016
【図１５】
2006065539.tif 000017